(57)【要約】  トレッド面（１）を画定する主構造体（１０）と、対向する側部（１１、１２）と、を備え、前記主構造体（１０）は、使用時に、足の底部に面する上層部（１６）と、地面に面する下層部(１５)と、前記上層部（１６）と前記下層部（１５）の間に介在する補強部材（５）と、を備え、前記補強部材（５）は、前記下層部(１５)よりも剛性の大きい材料で形成され、前記補強部材（５）は、前部（５２）と、架橋部（５３）によって相互に接合された後部（５４）と、を備え、前記前部（５２）に前足貫通開口（２０）が画定され、前記後部（５４）に後足貫通開口（４０）が画定され、前記架橋部（５３）と前記下層部（１５）の間に中足貫通開口（３０）が画定される。【選択図】  図１
2019509876.tif 000002
【特許請求の範囲】
【請求項１】
シューソール（１００）の使用中に地面に面するトレッド面（１）を画定する主構造体（１０）と、対向する側部（１１、１２）と、を備え、
前記主構造体（１０）は、使用時に、足の底部に面する上層部（１６）と、地面に面する下層部(１５)と、前記上層部（１６）と前記下層部（１５）の間に介在する補強部材（５）と、を備え、
前記補強部材（５）は、前記下層部(１５)よりも剛性の大きい材料で形成され、
前記補強部材（５）は、前部（５２）と、架橋部（５３）によって相互に接合された後部（５４）と、を備え、
前記前部（５２）に前足貫通開口（２０）が画定され、
前記後部（５４）に後足貫通開口（４０）が画定され、
前記架橋部（５３）と前記下層部（１５）の間に中足貫通開口（３０）が画定されることを特徴とする、シューソール（１００）。
【請求項２】
前記前足貫通開口（２０）が前記前足部（２）に画定され、前記対向する側部（１１、１２）の間に延在し、
前記中足貫通開口（３０）が前記中足部（３）に画定され、前記対向する側部（１１、１２）の間に延在し、
前記後足貫通開口（４０）が前記後足部（４）に画定され、前記対向する側部（１１、１２）の間に延在し、
前記前足部（２）、前記中足部（３）および前記後足部（４）は、“爪先−踵”方向（Ｘ）に沿って互いに隣接し、
前記前足貫通開口（２０）と前記後足貫通開口（４０）は、前記中足貫通開口（３０）と部分的に重なる、請求項１に記載のシューソール（１００）。
【請求項３】
前記補強部材（５）が単一体として形成される、請求項１または請求項２に記載のシューソール（１００）。
【請求項４】
前記補強部材（５）が前記主構造体（１０）に完全に埋め込まれる、請求項１〜３の何れか１項に記載のシューソール（１００）。
【請求項５】
前記上層部（１６）と前記下層部（１５）が少なくとも２つの横方向延長部（１３、１４）によって接続され、
前記横断部（５５、５６）は、前記横方向延長部（１３）、（１４）に埋め込まれる、請求項４に記載のシューソール（１００）。
【請求項６】
前記補強部材（５）は、実質的に平坦に展開し、実質的に完全に上層部（１６）を占めるように延びる、請求項１〜５の何れか１項に記載のシューソール（１００）。
【請求項７】
前記前足貫通開口（２０）と前記後足貫通開口（４０）は、前記トレッド面が地面に支持されたときに画定される垂直方向に沿って前記中足貫通開口（３０）と部分的に重なる、請求項１〜６の何れか１項に記載のシューソール（１００）。
【請求項８】
前記主構造体（１０）は、全体として、前記前足貫通開口（２０）、前記中足貫通開口（３０）および前記後足貫通開口（４０）によって画定される３つの貫通開口によって影響を受ける、請求項１〜７の何れか１項に記載のシューソール（１００）。
【請求項９】
請求項１〜８の何れか１つに従って製造されるシューソール（１００）の製造方法であって、
前記主構造体（１０）を提供するステップと、
前記補強部材（５）を提供するステップと、
前記上層部（１６）と前記下層部（１５）の間に前記補強部材（５）を配置するステップと、
前記上層部（１６）と前記下層部（１５）に前記補強部材（５）を接合するステップと、を備える、シューソール（１００）の製造方法。
【請求項１０】
前記上層部（１６）と前記下層部（１５）の間に前記補強部材（５）を配置するステップは、
前記上層部（１６）と前記下層部（１５）の間に位置するように、前記側部（１１、１２）の１つを貫通して前記補強部材（５）を挿入する、シューソール（１００）の製造方法。
【請求項１１】
前記上層部（１６）と前記下層部（１５）に前記補強部材（５）を接合するステップは、
前記上層部（１６）と前記下層部（１５）の間に前記補強部材（５）を挿入する前に接着剤を塗布するステップと、
冷却プレスにおいて前記上層部（１６）と前記下層部（１５）の間に前記補強部材（５）が挿入された状態で前記主構造体が配置される、請求項１０に記載のシューソール（１００）の製造方法。
【請求項１２】
使用中に地面に面するように意図されたトレッド面（１）と、対向する側部（１１、１２）と、を画定する主構造体（１０）と、を備え、前記主要構造は、
前記対向する側部（１１、１２）の間に延在する前足貫通開口（２０）が画定された前足部（２）と、
前記対向する側部（１１、１２）の間に延在する中足貫通開口（３０）が画定された中足部（３）と、
前記対向する側部（１１、１２）の間に延在する後足貫通開口（４０）が画定された後足部（４）と、
前記前足部（２）、前記中足部（３）および前記後足部（４）は、“爪先−踵”方向（Ｘ）に沿って互いに隣接し、弾性材料で形成され、
前記前足貫通開口（２０）と前記後足貫通開口（４０）は、前記中足貫通開口（３０）と部分的に重なることを特徴とするシューソール（１００）。
【請求項１３】
前記主構造体は、前記主構造体よりも剛性の大きい材料で形成される補強部材（５）を備え、
前記前足貫通開口（２０）の前記中足貫通開口（３０）との交差領域と前記中足貫通開口（３０）の前記後足貫通開口（４０）との交差領域の間に、補強部材（５）が延在する、請求項１２に記載のシューソール（１００）。
【請求項１４】
前記主構造体（１０）は、前記トレッド面が画定される下層部（１５）と、使用時に使用者の足に面する上層部（１５）と、前記前足貫通開口（２０）、前記中足貫通開口（３０）および前記後足貫通開口（４０）を画定するように前記下層部（１５）と前記上層部（１６）の間に展開する少なくとも２つの横方向延長部（１３、１４）と、を備え、
前記補強部材（５）は、前記上層部（１６）および前記横方向延長部（１３、１４）に部分的に延びる単一体として形成される、請求項１３に記載のシューソール（１００）。
【請求項１５】
前記補強部材（５）は、前記上層部（１６）と前記横方向延長部（１３）の間に完全に埋め込まれる、請求項１４に記載のシューソール（１００）。
【請求項１６】
前記補強部材（５）は、実質的に完全に前記上層部（１６）を占有するように延びる、請求項１３〜１５の何れか１項に記載のシューソール（１００）。
【請求項１７】
前記前足貫通開口（２０）と前記後足貫通開口（４０）は、前記トレッド面が地面に支持されたときに画定される垂直方向に沿って前記中足貫通開口（３０）と部分的に重なることを特徴とする、請求項１２〜１６の何れか１項に記載のシューソール（１００）。
【請求項１８】
前記対向する側部（１１、１２）は、内側部（１１）と外側部（１２）を備え、
前記前足部（２）および前記後足部（４）は、前記外側部（１２）に相対的に大きな可撓性（２１、４１）を有する部分を備え、
前記中足部（３）は、前記内側部（１１）に相対的に大きな可撓性（３１）を有する部分を備える、請求項１２〜１７の何れか１項に記載のシューソール（１００）。
【請求項１９】
前記主構造体（１０）は、全体として、前記前足貫通開口（２０）、前記中足貫通開口（３０）および前記後足貫通開口（４０）によって画定される３つの貫通開口によって影響を受ける、請求項１２〜１８の何れか１項に記載のシューソール（１００）。
【請求項２０】
前記前足貫通開口（２０）と前記後足貫通開口（４０）は、前記“爪先−踵”方向（Ｘ）に沿って画定されたテーパ部（２２、４２）において、前記中足貫通開口（３０）と部分的に重なる、請求項１２〜１９の何れか１項に記載のシューソール（１００）。
【請求項２１】
前記前足貫通開口（２０）は、前記前足部と前記前足部の間の移行領域において、前記中足貫通開口（３０）と重なり、
前記後足貫通開口（４０）は、前記後足貫通開口（４）と前記中足貫通開口（３）の間の移行領域において、前記中足貫通開口（３０）と重なることを特徴とする、請求項１２〜２０の何れか１項に記載のシューソール（１００）。
【発明の詳細な説明】
【技術分野】
【０００１】
本発明は、主請求項のプリアンブルに記載された特徴を有するタイプのシューソールに関する。
【０００２】
シューソールの特定の領域における可撓性の特性を高めるために、幅全体にわたって延びる一連の開口を有するシューソールを使用することが知られている。
【０００３】
例えば、米国特許公報ＵＳ８２９１６１５号は、空隙が画定される一連の突出部で接合された２つの対向する表面によって形成されたソールを備えた運動靴が開示されている。
【０００４】
この空隙は、シューソールが地面に接触している間のクッション効果を高めることができる。
【０００５】
しかしながら、歩行中の遊びの力を最適に利用するためには、荷重のより均一な分布を得ることが望ましいのに対して、これらの靴では支持段階に発生する力がシューソールの変形によってのみ消散されている。
【発明の概要】
【発明が解決しようとする課題】
【０００６】
本発明によって対処される技術的課題は、先行技術文献を参照して上述した制限の１つ以上を克服するように構造的および機能的に設計されたシューソールを提供することである。
【０００７】
上述の問題の文脈において、本発明の主な目的は、支持段階に効果的なクッションを与えながら、歩行の様々な段階を最適に利用することができるシューソールを開発することである。
【０００８】
他の目的は、地面との接触で得られる応力が踵領域または他の何れかの単一領域に集中しないシューソールを提供することである。
【課題を解決するための手段】
【０００９】
これらの目的を達成するため、本発明に係るシューソールの使用中に地面に面するトレッド面を画定する主構造体と、対向する側部と、を備え、前記主構造体は、使用時に、足の底部に面する上層部と、地面に面する下層部と、前記上層部と前記下層部の間に介在する補強部材と、を備え、前記補強部材は、前記下層部よりも剛性の大きい材料で形成され、前記補強部材は、前部と、架橋部によって相互に接合された後部と、を備え、前記前部に前足貫通開口が画定され、前記後部に後足貫通開口が画定され、前記架橋部と前記下層部の間に中足貫通開口が画定される。
【００１０】
本発明の好ましい特徴は従属請求項において定義される。
【００１１】
本発明に係るシューソールは、足支持段階において生じる負荷の最適な分布を得ることを可能にする。
【００１２】
また、地面に足を支持するときに発生する荷重を緩やかに分散させることができ、歩行の快適性を向上できる。
【００１３】
また、本発明に係るシューソールは反応性が高く、足の動きに対する変形性と適応性を両立させることができる。
【００１４】
好ましい態様によれば、本発明は、足支持段階において蓄積されたエネルギーを最適に利用し、足が地面を押す動作に変換することを可能にしている。
【００１５】
他の態様によれば、本発明は、歩行の様々な段階において生じる足の螺旋運動を有利にすることを可能にしている。
【００１６】
他の態様によれば、本発明は、足にかかる圧力のピークを含むことが可能であり、同時に中足領域および横アーチの適切な支持を提供することを可能にしている。
【００１７】
他の態様によれば、本発明は、反応性と変形性の特性を有利に組み合わせることを可能にしている。
【００１８】
他の態様によれば、本発明は、足底アーチのより大きな領域にわたって歩行の圧力を分散させることを可能にする、様々な病状のリスクを低減可能である。
【００１９】
本発明の他の態様は、使用中に地面に面するように意図されたトレッド面と、対向する側部と、を画定する主構造体と、を備えるシューソールに関し、前記主要構造は、前記対向する側部の間に延在する前足貫通開口が画定された前足部と、前記対向する側部の間に延在する中足貫通開口が画定された中足部と、前記対向する側部の間に延在する後足貫通開口が画定された後足部と、前記前足部、前記中足部および前記後足部は、“爪先−踵”方向に沿って互いに隣接し、弾性材料で形成され、前記前足貫通開口と前記後足貫通開口は、前記中足貫通開口と部分的に重なる。
【００２０】
また、本発明に係るシューソールは、足支持段階の間に生じる負荷の最適な分布を得ることを可能にする。
【００２１】
また、足を地面に支持するときに発生する荷重を軽減する地面を緩やかに分散させることができ、歩行心地を向上させることができる。
【００２２】
また、好ましい態様によれば、本発明は、足支持段階の間に蓄積されたエネルギーを最適に使用することを可能にする、足を地面に押圧する動作に変換することを可能にしている。
【００２３】
また、他の態様によれば、本発明は、本発明を有利にすることを可能にする歩行の様々な段階の間に生じる足の螺旋運動を好都合に利用可能である。
【００２４】
また、本発明の他の態様は、シューソールの製造方法に関し、前記主構造体を提供するステップと、前記補強部材を提供するステップと、前記上層部と前記下層部の間に前記補強部材を配置するステップと、前記上層部と前記下層部に前記補強部材を接合するステップと、を備えている。
【００２５】
この態様によれば、本発明に係るソールは如何なる特定の手動処理ステップも必要とせずに、自動化された方法で製造することができる。
【図面の簡単な説明】
【００２６】
本発明の特徴および利点は、添付図面を参照して非限定的な例によって図示された２つの実施形態の以下の詳細な説明から明らかになる。
【図１】本発明に係るシューソールの側面図である。
【図２】図１のシューソールの斜視図である。
【図３】図１のシューソールの正面図である。
【図４】本発明に係るシューソールの特徴である補強部材の斜視図である。
【図５】本発明に係るシューソールの特徴である補強部材の側面図である。
【図６】本発明に係るシューソールの特徴である補強部材の平面図である。
【図７】本発明に係るシューソールの変形実施形態の断面斜視図である。
【図８】図７の変形実施形態に係るシューソールを含む靴の側面図である。
【図９】本発明に係るシューソールの他の変形実施形態の側面図である。
【図１０】本発明に係るシューソールの製造方法を示す斜視図である。
【図１１】本発明に係るシューソールの他の変形実施形態の側面図である。
【図１２】図１１の実施形態に係るシューソールの製造方法を示す斜視図である。
【図１３】他の実施形態に係る本発明のシューソールを含む靴の側面図である。
【図１４】他の実施形態による本発明のシューソールを含む靴の斜視図である。
【図１５】本発明に係るシューソールの変形実施形態の側面図である。
【図１６】本発明に係るシューソールの他の変形実施形態の部分断面の側面図である。
【図１７】本発明に係るシューソールの他の実施形態の外側の側面図である。
【図１８】本発明に係るシューソールの他の実施形態の内側の側面図である。
【発明を実施するための形態】
【００２７】
最初に図１を参照すると、参照番号１００は、本発明に従って製造されたシューソール全体を示している。
【００２８】
シューソール１００は、図１に文字Ｘで示された“爪先−踵”方向（toe-to-heel）に長手方向に延在している。
【００２９】
シューソール１００は、主構造体１０を含み、この主構造体１０は、“爪先−踵”方向Ｘに沿って互いに隣接する前足部２，中足部３，後足部４を備えている。
【００３０】
好ましくは、以下に詳細に説明する主構造体１０は、比較的弾性のある材料、例えば、ポリマー材料から作られている。
【００３１】
再度図１を参照すると、トレッド面１が、シューソール１００の主構造体１０において識別されている。
【００３２】
本発明において、“トレッド面１”という用語は、シューソール１００の使用中に、例えば、シューソール１００を備えた靴をユーザが使用中に、地面に面するように意図されたシューソール１００の表面を識別している。この面は、地面と直接または図示されない追加の層を介在して接触してもよい。
【００３３】
シューソール１００は、シューソール１００の“爪先−踵”方向Ｘに関連して識別された対向する面、すなわち、内部１１と外部１２を備えている。
【００３４】
好適な実施形態によれば、主構造体１０は、トレッド面１が形成された下層部１５を含んでいる。
【００３５】
好ましくは、主構造体は、使用時に使用者の足に面した上層部１６を更に含んでいる。
【００３６】
好適な実施形態によれば、上層部１６と下層部１５は、ソール１００の前端部１７で接合されて先端部を画定し、後端部１８では踵部に近接している。
【００３７】
一実施形態では、上層部１６と下層部１５の間に補強部材５が設けられ、主構造体１０よりも剛性の高い材料、またはより一般的には少なくとも下層部１５より剛性の高い材料から作られるのが好ましい。
【００３８】
補強部材５は、剛性／弾性の高い材料、例えばブロック共重合体からなることが好ましく、例えば、ＡＢＳ／ナイロンのようなポリエーテルブロックアミドまたはＰＥＢＡＸ（登録商標）の市販名で知られたポリエーテルブロックアミドである。他の代替物としては、炭素またはポリウレタンによって表されたコンパクトな熱可塑性タイプＴＰＵが好ましい。しかしながら、これらの材料は、単に一例として引用されものであり、他の代替物も提供可能なことは明らかである。
【００３９】
補強部材が下層部１５および／または上層部１６よりも大きな剛性を有するように、これ／これらは、エチレン酢酸ビニル（ＥＶＡ）または発泡熱可塑性ポリウレタン（ＴＰＵ）からなっている。
【００４０】
好適な実施形態によれば、図４に明確に示されるように、補強部材５は、ソール１００の前足部２に配置された前部５２と、後足部４に配置された後部５４を備えている。
【００４１】
また、前部５２と後部５４は、架橋部５３によって接合されるのが好ましい。
【００４２】
好適な実施形態では、補強部材５は、本質的に平坦な展開部を有し、上層部１６を完全に占有するように延在している。これにより、靴の着用時に、使用者に補強部材５の存在を気付かせないようにすることができ、同時に足全体の適切な支持を提供することができる。
【００４３】
図１および図４を参照すると、前部５２の補強部材には貫通開口２０が形成されている、前記貫通開口を、その位置に起因して“前足貫通開口２０”と称する。
【００４４】
好適な実施形態によれば、前足貫通開口は、ソールの対向する側部１１、１２間に延在している。
【００４５】
また、“貫通”という用語は、開口が補強部材５を完全に貫通しているだけでなく、ソール１００の対向する側部１１、１２に横方向に開口することも示していることにも留意すべきである。貫通開口は、“爪先−踵”方向Ｘとして定義された方向と交差する方向に靴５０を貫通していることが好ましい。
【００４６】
一実施形態では、貫通開口４０は、後部５４の補強部材５に形成され、その位置に起因して、この貫通開口を“後足貫通開口４０”と称する。
【００４７】
好適な実施形態によれば、後足貫通開口４０は、ソール１００の対向する側部１１、１２の間に延在し、後足貫通開口４０は、“爪先−踵”方向Ｘとして定義された方向と交差する方向に貫通している。
【００４８】
好ましくは、補強部材５は、下層部１５と上層部１６の間に配置されるとき、架橋部５３と下層部１５の間に中足貫通開口３０が形成される。
【００４９】
図１から分かるように、下層部１５と上層部１６の間に補強部材５が配置されるとき、上層部１６が下層部１５に対して持ち上げられるように、架橋部５３が形成されるのが好ましい。このようにして、その結果として定義された空間は、中足貫通開口３０を形成する。
【００５０】
使用者の足が完全に支持されるように、架橋部５３が上層部１６を支持するように配置されるのが好ましい。
【００５１】
このようにして、補強部材５は、歩行時の遊びの力を最適に利用し、その屈曲のおかげでエネルギーを支持段階において吸収し、その後の足の伸展でそれを解放することを含んでいる。
【００５２】
好ましくは、補強部材５は、単一体として形成される。
【００５３】
好適な実施形態によれば、補強部材の前部５２と後部５４は、架橋部５３と接続される第１横断部５５と第２横断部５６を夫々備えている。
【００５４】
好ましくは、第１の横断部５５は、シューソール１００の後端部に向かって傾斜し、第２の横断部５６は、ソール１００の前端部に向かって傾斜している。
【００５５】
この構成により、横断部５５、５６は、地面のシューソールの支持の段階の間に発生する力の方向と平行な方向に沿い、かつ、足の伸展の位相における弾性応答の結果として放出される力に平行な方向に沿う展開が有利である。
【００５６】
好ましくは、補強部材５は、架橋部５３によって接続される前部５２と後部５４とを夫々画定する２つの管状要素によって形成される。一実施形態では、横断部５５、５６は、管状要素の壁を形成している。
【００５７】
図５を参照すると、一実施形態では、この構造は、前部領域５０ａと後部領域５０ｂと架橋部５３を区画する中央領域において接合される２つの加工されたシート５８、５９によって作られ、残りの領域で２つのシートは分離している。
【００５８】
図６に示すように、好適な実施形態によれば、補強部材５は、軽量化開口５７を含み、成形シート５８、５９に形成されることが好ましく、有利には、補強部材５と上下層部１５、１６の良好な接着が可能である。
【００５９】
再び図１を参照すると、前足貫通開口２０、中足貫通開口３０、後足貫通開口４０は、上層部１６と下層部１５の間に空隙を画定し、前足部２、中足部３、後足部４において夫々識別される。
【００６０】
本発明のシューソールは、好ましくは、前足貫通開口２０と後足貫通開口４０が中足貫通開口４０と部分的に重なっている。
【００６１】
このようにして、開口の存在により得られるクッション作用を、開口が重なる領域で発生する高い柔軟性と有利に組み合わせることができる。
【００６２】
一実施形態では、主構造体１０は、全体として、前足貫通開口２０、中足貫通開口３０および後足貫通開口４０によって画定された合計３つの貫通開口の影響を受ける。
【００６３】
このようにして、支持の位相にあるとき、および足の伸展中の力の解放のとき、クッション効果を犠牲にすることなく、シューソールの最大柔軟性を得ることができる。
【００６４】
加えて、負荷の漸進的な分布が保証される。
【００６５】
好ましくは、前足貫通開口２０と後足貫通開口４０は、トレッド面が地面に支持されたときに画定される垂直方向に沿って、中足貫通開口３０と部分的に重なっている。換言すれば、一方は、ソール１００が支持される地面に対して他方の上に配置される。
【００６６】
好適な実施形態によれば、前足貫通開口２０は、前足部２と中足部３の間の遷移領域において、中足貫通開口３０と重なる。一方、後足貫通開口４０は、後足部４と中足部３の間の移行領域において、中足貫通開口３０と重なる。
【００６７】
このようにして、オーバーラップの領域は、有利には、歩行運動の際に大きな屈曲が必要とされる領域と対応している。
【００６８】
好ましくは、高い強度を有する構造体を提供することを目的として、前足貫通開口２０と後足貫通開口４０は、各テーパ状端部２２、４２において中足貫通開口３０と重なっている。
【００６９】
図７および図８に示された他の実施形態によれば、補強部材５は、構造体１０に完全に埋め込まれている。
【００７０】
この実施形態では、上層部１６と下層部１５が、横断部５５、５６が埋め込まれた２つの横方向延長部１３、１４によって接続される。
【００７１】
これには、補強部材５の存在を隠すことができるという利点があり、シューソール１００の審美的品質の利益に貢献している。
【００７２】
図９に示された他の実施形態では、補強部材５はコンパクトな熱可塑性ポリウレタン（ＴＰＵ）で形成され、下層部１５は発泡熱可塑性ポリウレタン（ＴＰＵ）で形成されている。特に簡単な構成で大きな剛性の材料と小さな剛性の材料の組合せを得るように構成されている。
【００７３】
本発明の他の態様を画定する他の変形実施形態では、補強部材５は存在しなくてもよい。
【００７４】
この実施形態では、主構造体１０は、前足部２と対向する部位の下層部１５から中足部３と対向する部位の上層部１６まで延びる第１の横方向延長部１３を含んでいる。換言すれば、第１の横方向延長部１３は、ソール１００の後端部に向かって傾斜している。
【００７５】
また、好適な実施形態では、主構造体１０は、後足部４と対向する部位の下層部１５から中足部３と対向する部位の上層部１６まで延びる第２の横方向延長部１４を含んでいる。換言すれば、第２の横方向延長部１４は、ソール１００の前端部に向かって傾斜している。
【００７６】
第１および第２の横方向延長部１３、１４は、中足部３において上層部１６に架橋的に接続されるのが好ましい。
【００７７】
この構成により、横方向延長部１３、１４が、地面上のシューソールの支持の段階の間に発生する力の方向と平行な方向に沿って、かつ、足の伸展の位相における弾性応答の結果として放出される力に平行な方向に沿って夫々展開することが有利である。
【００７８】
一実施形態では、上層部１６と下層部１５と第１横方向延長部１３の間に、空隙が形成され、対向する側部１１、１２の間に延在する前足貫通開口２０が前足部２で特定される。
【００７９】
上層部１６と下層部１５と２つの横方向延長部１３、１４の間に、空隙が形成され、中足部３において対向する側部１１、１２の間に延在する中足貫通開口３０を識別することが好ましい。
【００８０】
好ましくは、上層部１６と下層部１５と第２横方向延長部１４の間にも、対向する側部１１の間に延在する後足貫通開口４０を識別する空隙が、後足部４に形成される。
【００８１】
他の実施形態で説明したように、前足貫通開口２０と後足貫通開口４０は、好ましくは、中足貫通開口３０と部分的に重なっている。
【００８２】
図１０を参照すると、本発明に係るシューソールの製造方法が示されている。
【００８３】
補強部材５と構造体１０は、好ましくは射出成形によって別個に製造される。
【００８４】
補強部材５と構造体１０は、その後、適切な洗浄製品で洗浄されるのが好ましい。
【００８５】
好適な実施形態によれば、接着剤、好ましくは２成分の接着剤が補強部材５と構造体１０に適用され、補強部材５と接合されるべき構造体１０の表面が２成分の接着剤で被覆される。
【００８６】
構造体１０は側部に開口し、その結果として、ソールの内側１１または外側１２から横方向に補強部材５を挿入することができる。
【００８７】
好ましくは、補強部材５の正確な位置決めを有利にするため、後者が、構造体１０に定義された対応する要素に適合する形態を作成するのに適した結合要素５７ａ、５８ａを備えてもよい。
【００８８】
一実施形態では、接続要素は、補強部材５と構造体１０の間に形成された相補的な形状の凹部に挿入可能な延長部によって作成され、補強部材５と構造体１０の間に夫々形成される。
【００８９】
構造体１０と補強部材５によって形成されるユニットは、冷却プレスに装填され、その後、閉じられ、２成分の接着剤の活性化に必要な時間に適切な圧力を加えることにより行われる。
【００９０】
この段階では、軽量化開口の存在は、上下層と補強部材の間の適切な接着を可能にしている。
【００９１】
図１１は、本発明に係るシューソールのさらなる変形実施形態を示し、ウェッジ型の靴に使用されるように意図されている。
【００９２】
この場合、補強部材は、図７および図８の実施形態と同様に、構造体１０に埋め込まれる。
【００９３】
このシューソールの製造方法は、図１２に記載されており、一般に、補強部材５が構造体に埋め込まれる全ての実施形態に適用可能である。
【００９４】
構造体１０は、側部１１、１２に貫通開口２０ａ、３０ａ、４０ａを設けることにより準備される。
【００９５】
また、構造体１０には、補強部材５を収容するのに適した中央開口５０ａが設けられている。
【００９６】
この場合、ＴＰＵ／ＰＵの使用は、射出成形によって、関連する開口が既に設けられた構造体１０を製造することが可能という点で、追加的に有利である。
【００９７】
好ましくは、中央開口５０ａは、補強部材５が支持のために配置され得る嵌め合せ縁部１９を画定する。
【００９８】
また、一実施形態では、後足領域４には、垂直展開を有する更なる開口７ａが設けられ、踵部材７が挿入される。
【００９９】
次に、対応する開口５０ａ、７ａに補強部材５と踵部材７を配置することによってシューソール１００が組み立てられる。これらの位置決めの前に、前述の実施形態と同様に、接着剤を使用する。補強部材５と主構造体１０には、２成分タイプのものが適用される。
【０１００】
好適な実施形態によれば、上層部１６は、補強部材５の上部に配置され、トレッド面１は、下層部１５の下に適用されるのが好ましい。
【０１０１】
このようにして得られたユニットを冷却プレスに装填することによってシューソール１００の組み立てが完了し、その後、閉じられ、２成分タイプの接着剤の活性化に必要な時間の間、適切な圧力を加えることにより行われる。
【０１０２】
他の実施形態が、図１３および図１４に示されている。
【０１０３】
この実施形態によれば、下層部１５と上層部１６が分離され、これらの間に介在する補強部材５によってのみ接続されている。
【０１０４】
この場合、ソール１００の製造方法は、前述した技術と同様の技術を用いて、底部層１５と頂部層１６の間に補強部材５を介在させて関連する接着を提供する。
【０１０５】
図１５に示された他の変形実施形態では、貫通開口２０、３０、４０は、補強部材５の存在を必要とせずに、主構造体に直接形成される。
【０１０６】
この実施形態では、上層部１６、下層部１５および第１の横方向延長部１３が空隙を形成し、この空隙は、前足部２において対向する側部１１、１２の間に延在する前足貫通開口２０を識別する。
【０１０７】
好ましくは、上層部１６、下層部１５、および２つの横方向延長部１３、１４の間に空隙が形成され、この空隙は、中足部３において、対向する側部１１、１２の間に延在する中足貫通開口４０を識別する。
【０１０８】
また、上層部１６、下層部１５、第２の横方向延長部１３、１４の間に空隙が形成されるのも好ましく、この空隙は、後足部４において、対向する側部１１の間に延在する後足貫通開口４０を識別する。
【０１０９】
図１６に示された他の実施形態によれば、補強部材５は、単一体として形成され、上層部１６および２つの延長部１３、１４に最も好都合な方法で収容され得るように、本質的にＸ字形である。
【０１１０】
より一般的には、補強部材は、上層部１６と横方向延長部１３、１４に部分的に延在するのが好ましい。
【０１１１】
このようにして、補強部材５の十分な堅牢性および可撓性が、主構造体１０の非常に小さな部分を占めながら確保することができる。
【０１１２】
補強部材５は、上層部１６と横方向延長部１３、１４に完全に埋め込まれるのが好ましい。
【０１１３】
これにより、シューソール１００の審美的品質の利益のために、補強部材５の存在を視界から隠すことができるという利点がある。
【０１１４】
図１７および図１８に示された他の実施形態によれば、シューソール１００は、前足部２および後足部４の外側１２に、相対的に大きな可撓性を有する部分２１、４１を備えている。
【０１１５】
中足部３は、内側１１に比較的大きな可撓性を有する更なる部分３１を含むのが好ましい。
【０１１６】
このようにして、歩行段階の足の螺旋運動を有利にすることが可能であり、ソールのロバスト性および審美的品質の全体的な特性を妥協することなく、本発明を実施することができる。
【０１１７】
一実施形態では、可撓性が比較的大きい部分２１、３１、４１は主構造体１０の残りの部分よりも低密度の材料で作られる。
【０１１８】
図１７から分かるように、中足部３の比較的大きい可撓性を有するさらなる部分３１は、底層部１５および延長部１３、１４に延在している。
【０１１９】
図１８に示されるように、一実施形態によれば、比較的大きい可撓性を有する部分２１、４１は、底部層１５に延在している。
【０１２０】
この実施形態は、補強部材５の存在と有利に組み合わせられることが明らかである。
【０１２１】
本発明の特徴によって、シューソール１００は、歩行段階で遊ぶ力を最適に利用することが可能である。
【０１２２】
特に、前足開口は、押圧制御表面を有利に画定することを可能にし、中足開口は、動的安定領域を画定することを可能にし、後足開口は、圧縮、支持、および荷重の段階のための制御表面を画定することを可能にする。
【０１２３】
また、補強部材５の存在は、ヒール支持段階に蓄積された力を前方領域に移送し、それを押圧動作に変換することを可能にする点で特に有利である。
【０１２４】
また、本発明は、補強部材の存在によって足にかかる圧力のピークを封じ込め、同時に、中足骨領域および側方弓に適切な支持を提供することを可能にし、補強部材の効果を相殺する穴の存在と組み合わされて支持を増加させることを可能にする。
【０１２５】
さらに、補強部材によって供給される反応性は、構造体の変形性と有利に組み合わされる。
【０１２６】
この特性の組合せにより、足底アーチのより大きな領域にわたって圧力を分散させることが可能となり、中足麻痺、足底筋膜炎および他の病状のリスクの低減に有利である。
【図１】
2019509876.tif 000003
【図２】
2019509876.tif 000004
【図３】
2019509876.tif 000005
【図４】
2019509876.tif 000006
【図５】
2019509876.tif 000007
【図６】
2019509876.tif 000008
【図７】
2019509876.tif 000009
【図８】
2019509876.tif 000010
【図９】
2019509876.tif 000011
【図１０】
2019509876.tif 000012
【図１１】
2019509876.tif 000013
【図１２】
2019509876.tif 000014
【図１３】
2019509876.tif 000015
【図１４】
2019509876.tif 000016
【図１５】
2019509876.tif 000017
【図１６】
2019509876.tif 000018
【図１７】
2019509876.tif 000019
【図１８】
2019509876.tif 000020
【国際調査報告】
2019509876.tif 000021
2019509876.tif 000022
2019509876.tif 000023
2019509876.tif 000024
2019509876.tif 000025